(57)【要約】【課題】複数のＡＶ機器によって構成される画像再生システムにおいて、入力ソースの選択操作を容易に行うことのできる画像再生システムを提供する。【解決手段】テレビジョン受像機１は、ＡＶアンプ２から出力される、ＤＶＤプレイヤ３の情報を入力ソースとして表示部１２に表示される一覧表示に加え、ユーザの操作入力によりＤＶＤプレイヤ３の情報のいずれかが選択された場合、ＡＶアンプ２に対してその内容を送信する。ＡＶアンプ２は、ＨＤＭＩ入力端子に接続されたＤＶＤプレイヤ３の情報をテレビジョン受像機１に送信するとともに、テレビジョン受像機１によって送信された内容に基づいて、テレビジョン受像機１に出力する画像信号を、ユーザの操作入力により選択されたＤＶＤプレイヤ３から入力される画像信号に切り替える。【選択図】図２
2008244980.tif 000002
【特許請求の範囲】
【請求項１】
複数の入力端子から入力される画像信号の信号出力源を表示手段に一覧表示させる一覧表示手段と、前記一覧表示手段によって一覧表示された前記複数の信号出力源の中から所望の信号出力源をユーザによって選択操作可能な操作入力手段と、前記操作入力手段による選択操作に基づいて選択された信号出力源の画像信号を前記表示手段に出力する表示出力手段とを有するディスプレイ装置と、
前記複数の入力端子のいずれかに接続されるとともに、前記複数の入力端子と異なる複数の特定入力端子から入力される画像信号のいずれかを前記入力端子を介して前記ディスプレイ装置に出力する信号出力手段を有する信号処理装置と、
前記信号処理装置の特定入力端子に接続されるとともに、前記信号処理装置に画像信号を出力する画像出力装置と、を備える画像再生システムであって、
前記ディスプレイ装置は、
前記信号処理装置から出力される、前記複数の特定入力端子に接続される前記画像出力装置の情報を前記信号出力源として前記一覧表示手段により前記表示手段に表示させる一覧表示に加える表示変更手段と、
前記操作入力手段によって前記画像出力装置の情報のいずれかが選択された場合、前記信号処理装置に対してその選択情報を送信する選択情報送信手段とを有し、
前記信号処理装置は、
前記複数の特定入力端子に接続される前記画像出力装置の情報を前記ディスプレイ装置に送信する装置情報送信手段と、
前記選択情報送信手段によって送信された前記選択情報に基づいて、前記信号出力手段によって前記ディスプレイ装置に出力する画像信号を、前記操作入力手段によって選択された前記画像出力装置から入力される画像信号に切り替える切替手段とを有することを特徴とする、画像再生システム。
【請求項２】
前記ディスプレイ装置、前記信号処理装置及び前記画像出力装置は、ＨＤＭＩ規格に準拠するものであり、
前記各装置間は、ＨＤＭＩ専用ケーブルによって接続される、請求項１に記載の画像再生システム。
【請求項３】
前記選択情報送信手段によって送信されるいずれの前記画像出力装置が選択されたかを示す選択情報及び前記装置情報送信手段によって送信される前記画像出力装置の情報は、
前記ＨＤＭＩ専用ケーブルに含まれるＣＥＣ制御線を介して送信される、請求項２に記載の画像再生システム。
【請求項４】
請求項１に記載の画像再生システムを構成する信号処理装置であって、
前記画像再生システムのディスプレイ装置の入力端子に接続されるとともに、前記入力端子と異なる複数の特定入力端子から入力される画像出力装置の画像信号のいずれかを前記入力端子を介して前記ディスプレイ装置に出力する信号出力手段と、
前記複数の特定入力端子に接続される前記画像出力装置の情報を前記ディスプレイ装置に送信する装置情報送信手段と、
前記ディスプレイ装置から送信されたいずれの前記画像出力装置が選択されたかを示す選択情報に基づいて、前記信号出力手段によって前記ディスプレイ装置に出力する画像信号を、選択された前記画像出力装置から入力される画像信号に切り替える切替手段と、
を備えることを特徴とする、信号処理装置。
【請求項５】
請求項１に記載の画像再生システムを構成するディスプレイ装置であって、
複数の入力端子から入力される画像信号の信号出力源を表示手段に一覧表示させる一覧表示手段と、
前記一覧表示手段によって一覧表示された前記複数の信号出力源の中から所望の信号出力源をユーザによって選択操作可能な操作入力手段と、
前記操作入力手段による選択操作に基づいて選択された信号出力源の画像信号を前記表示手段に出力する表示出力手段と、
前記画像再生システムの信号処理装置から出力される、前記複数の特定入力端子に接続される画像出力装置の情報を前記信号出力源として前記一覧表示手段により前記表示手段に表示させる一覧表示に加える表示変更手段と、
前記操作入力手段によって前記画像出力装置の情報のいずれかが選択された場合、前記信号処理装置に対してその選択情報を送信する選択情報送信手段と、
を備えることを特徴とする、ディスプレイ装置。
【発明の詳細な説明】
【技術分野】
【０００１】
本願発明は、例えばＡＶアンプと呼称される信号処理装置及びテレビジョン受像機等によって構成される画像再生システムに関するものである。
【背景技術】
【０００２】
近年、例えばユーザの周囲に複数のスピーカを配置し、各スピーカから異なる音声を出力させることにより、ユーザに臨場感のある音場を提供することのできるホームシアターシステムが普及している（例えば特許文献１参照）。ホームシアターシステムは、その一例として、テレビジョン受像機と、それに接続されるＡＶアンプと、それに接続される複数の外付けスピーカと、ＡＶアンプに接続されるソース機器としての例えばＤＶＤ（digital versatile disc）プレイヤとによって構成される。
【０００３】
【特許文献１】特開２００３−２９８９７５号公報
【０００４】
一方、上記ホームシアターシステムを構築するＡＶアンプ等の、いわゆるＡＶ（audio/visual）機器においては、画像信号及び音声信号のディジタル入出力規格であるＨＤＭＩ（High Definition Multimedia Interface）に準拠するものが提案されている。ＨＤＭＩ規格に準拠する機器は、専用のＨＤＭＩケーブルによって接続され、ＨＤＭＩケーブルを通じて画像信号、音声信号及び制御信号を送受信することができる。
【０００５】
テレビジョン受像機は、例えば液晶やプラズマ等のディスプレイパネルを有し、ＤＶＤプレイヤで再生される画像信号をＡＶアンプを介して入力されることにより、ディスプレイパネルに表示出力する。テレビジョン受像機には、通常、テレビジョン放送を受信可能なチューナが内蔵されている。また、テレビジョン受像機には、例えばＶＨＳ（video home system）機器と接続可能なコンポジット端子やＳ（separate）端子、及びコンポーネント画像信号を伝送するためのコンポーネント端子等が設けられている。さらに、テレビジョン受像機がＨＤＭＩ規格に準拠するように構成されている場合、ＨＤＭＩ入力端子が設けられている。
【０００６】
このような画像再生システムにおいて、テレビジョン受像機において映像を表示させる場合、ユーザがテレビ放送以外に入力端子に接続されている装置あるいは端子の画像信号源（以下、「入力ソース」という。）を任意に選択することができる。例えば、テレビジョン受像機の表示画面には、図１３に示すように、ユーザが入力ソースを選択可能な入力選択画面が表示される。具体的には、入力選択画面には、テレビジョン受像機が表示可能な入力ソースの名称である、「テレビ放送」、「コンポジット入力」、「Ｓ端子入力」、「コンポーネント入力」、「ＨＤＭＩ入力１」及び「ＨＤＭＩ入力２」が表示される。
【０００７】
ユーザは、例えばテレビジョン受像機に付属のリモコン装置を用いて、これら表示された入力ソースの中から任意の入力ソースを、例えばカーソルを移動させる操作等を行って選択することができる。具体的には、Ｓ端子入力にＳ−ＶＨＳ規格のビデオ装置が接続されており、当該ビデオ装置による映像を再生させたい場合には、「Ｓ端子入力」を選択する操作が行われる。
【０００８】
一方、ＡＶアンプは、例えばケーブルテレビを受信可能なセットトップボックス用入力端子、ゲーム機等を接続可能なゲーム機用入力端子、及びＤＶＤプレイヤ等を接続可能なＨＤＭＩ入力端子等を備えている。
【０００９】
このような画像再生システムでは、以下の問題点があった。すなわち、例えばＨＤＭＩ入力端子にＡＶアンプが接続され、ＡＶアンプにＤＶＤプレイヤが接続されており、ユーザは、例えばＡＶアンプに接続されたＤＶＤプレイヤからの映像をテレビジョン受像機に再生させたい場合、操作が煩わしくなるといった問題点があった。
【００１０】
すなわち、ユーザは、上述した入力選択画面においてディスプレイ画面に表示させたい入力ソースとして例えば「ＤＶＤプレイヤ」を選択したい場合、ディスプレイ画面には、「ＨＤＭＩ入力１」としか表示されないため、まず、ユーザは、テレビジョン受像機のリモコン装置を用いて一旦、「ＨＤＭＩ入力１」に選択する必要がある。
【００１１】
さらに、ＡＶアンプでは、入力ソースが「ＤＶＤプレイヤ」に切り替わっているとは限らないため、ユーザは、ＡＶアンプの例えばリモコン装置を用いて入力ソースを「ＤＶＤプレイヤ」に選択する必要がある。
【００１２】
このように、ユーザがＤＶＤプレイヤを選択したいときには、テレビジョン受像機においてＨＤＭＩ入力端子を選択するために設定操作し、かつＡＶアンプにおいてＤＶＤプレイヤを選択するための設定操作を行うといった手間がかかることになる。
【発明の開示】
【発明が解決しようとする課題】
【００１３】
本願発明は、上記した事情のもとで考え出されたものであって、複数のＡＶ機器によって構成される画像再生システムにおいて、入力ソースの選択操作を容易に行うことのできる画像再生システムを提供することを、その課題とする。
【課題を解決するための手段】
【００１４】
上記の課題を解決するため、本願発明では、次の技術的手段を講じている。
【００１５】
本願発明の第１の側面によって提供される画像再生システムによれば、複数の入力端子から入力される画像信号の信号出力源を表示手段に一覧表示させる一覧表示手段と、前記一覧表示手段によって一覧表示された前記複数の信号出力源の中から所望の信号出力源をユーザによって選択操作可能な操作入力手段と、前記操作入力手段による選択操作に基づいて選択された信号出力源の画像信号を前記表示手段に出力する表示出力手段とを有するディスプレイ装置と、前記複数の入力端子のいずれかに接続されるとともに、前記複数の入力端子と異なる複数の特定入力端子から入力される画像信号のいずれかを前記入力端子を介して前記ディスプレイ装置に出力する信号出力手段を有する信号処理装置と、前記信号処理装置の特定入力端子に接続されるとともに、前記信号処理装置に画像信号を出力する画像出力装置と、を備える画像再生システムであって、前記ディスプレイ装置は、前記信号処理装置から出力される、前記複数の特定入力端子に接続される前記画像出力装置の情報を前記信号出力源として前記一覧表示手段により前記表示手段に表示させる一覧表示に加える表示変更手段と、前記操作入力手段によって前記画像出力装置の情報のいずれかが選択された場合、前記信号処理装置に対してその選択情報を送信する選択情報送信手段とを有し、前記信号処理装置は、前記複数の特定入力端子に接続される前記画像出力装置の情報を前記ディスプレイ装置に送信する装置情報送信手段と、前記選択情報送信手段によって送信された前記選択情報に基づいて、前記信号出力手段によって前記ディスプレイ装置に出力する画像信号を、前記操作入力手段によって選択された前記画像出力装置から入力される画像信号に切り替える切替手段とを有することを特徴としている（請求項１）。
【００１６】
本願発明の好ましい実施の形態によれば、前記ディスプレイ装置、前記信号処理装置及び前記画像出力装置は、ＨＤＭＩ規格に準拠するものであり、前記各装置間は、ＨＤＭＩ専用ケーブルによって接続されるとよい（請求項２）。
【００１７】
本願発明の他の好ましい実施の形態によれば、前記選択情報送信手段によって送信されるいずれの前記画像出力装置が選択されたかを示す選択情報及び前記装置情報送信手段によって送信される前記画像出力装置の情報は、前記ＨＤＭＩ専用ケーブルに含まれるＣＥＣ制御線を介して送信されるとよい（請求項３）。
【００１８】
この構成によれば、信号処理装置（例えばＡＶアンプ）は、複数の特定入力端子に接続される画像出力装置（例えばＤＶＤプレイヤ）の情報をディスプレイ装置（例えばテレビジョン受像機）に送信する。ディスプレイ装置は、信号処理装置から出力される画像出力装置の情報を信号出力源として選択表示画面の一覧表示に加える。そして、操作入力手段によって画像出力装置の情報のいずれかが選択された場合、信号処理装置に対してその内容を送信する。信号処理装置は、ディスプレイ装置から送信された内容に基づいて、ディスプレイ装置に出力する画像信号を、操作入力手段によって選択された画像出力装置から入力される画像信号に切り替える。
【００１９】
従来では、ディスプレイ装置に一覧表示される選択表示画面には、それに設けられた入力端子名しか表示されず、信号処理装置に接続される画像出力装置の情報（名称）は表示されなかったため、選択表示画面において画像出力装置の選択を行いたいときでも、まず、ディスプレイ装置で信号処理装置が接続される入力端子を選択した後、信号処理装置において所望の画像出力装置を選択する必要があった。
【００２０】
しかしながら、本願発明によれば、選択表示画面において信号処理装置に接続されるべき全ての画像出力装置の名称が表示されるので、ユーザはディスプレイ装置における操作のみで、所望の画像出力装置を選択することができる。そして選択された内容は、信号処理装置側に送信されて、信号処理装置側で切り替えられた画像出力装置の画像信号がディスプレイ装置に送信されて表示出力することができる。そのため、ユーザは、例えば信号処理装置において画像出力装置の選択操作を行う必要がなくなるので、操作性に優れかつ利便性の高い画像再生システムを提供することができる。
【００２１】
本願発明の第２の側面によって提供される信号処理装置によれば、本願発明の第１の側面によって提供される画像再生システムを構成する信号処理装置であって、前記画像再生システムのディスプレイ装置の入力端子に接続されるとともに、前記入力端子と異なる複数の特定入力端子から入力される画像出力装置の画像信号のいずれかを前記入力端子を介して前記ディスプレイ装置に出力する信号出力手段と、前記複数の特定入力端子に接続される前記画像出力装置の情報を前記ディスプレイ装置に送信する装置情報送信手段と、前記ディスプレイ装置から送信されたいずれの前記画像出力装置が選択されたかを示す選択情報に基づいて、前記信号出力手段によって前記ディスプレイ装置に出力する画像信号を、選択された前記画像出力装置から入力される画像信号に切り替える切替手段と、を備えることを特徴としている（請求項４）。
【００２２】
本願発明の第３の側面によって提供されるディスプレイ装置によれば、本願発明の第１の側面によって提供される画像再生システムを構成するディスプレイ装置であって、複数の入力端子から入力される画像信号の信号出力源を表示手段に一覧表示させる一覧表示手段と、前記一覧表示手段によって一覧表示された前記複数の信号出力源の中から所望の信号出力源をユーザによって選択操作可能な操作入力手段と、前記操作入力手段による選択操作に基づいて選択された信号出力源の画像信号を前記表示手段に出力する表示出力手段と、記画像再生システムの信号処理装置から出力される、前記複数の特定入力端子に接続される画像出力装置の情報を前記信号出力源として前記一覧表示手段により前記表示手段に表示させる一覧表示に加える表示変更手段と、前記操作入力手段によって前記画像出力装置の情報のいずれかが選択された場合、前記信号処理装置に対してその選択情報を送信する選択情報送信手段と、を備えることを特徴としている（請求項５）。
【００２３】
本願発明のその他の特徴および利点は、添付図面を参照して以下に行う詳細な説明によって、より明らかとなろう。
【発明を実施するための最良の形態】
【００２４】
以下、本願発明の好ましい実施の形態を、添付図面を参照して具体的に説明する。
【００２５】
図１は、本願発明に係る画像再生システムが適用される、いわゆるホームシアターシステムの構成を示す図である。
【００２６】
ホームシアターシステムは、例えば部屋の中にいるユーザの周囲に複数のスピーカを配置し、各スピーカから異なる音声を出力させることにより、ユーザに臨場感のある音場を提供することのできるものである。ホームシアターシステムは、テレビジョン受像機１、これに接続されるＡＶアンプ（「マルチチャンネルアンプ」や「ＡＶレシーバ」といった名称で呼称される場合もある。）２、これに接続されるＤＶＤ（digital versatile disc）プレイヤ３及び複数のスピーカによって構成される。
【００２７】
スピーカは、いわゆる５．１チャンネルや７．１チャンネルといったチャンネル数に応じた数を有し、ＡＶアンプ２にそれぞれ接続される。例えば５．１チャンネルのホームシアターシステムでは、ユーザの前方左右及び中央に３個のフロントスピーカＬ，Ｒ，Ｃが配置され、ユーザの前方中央に１個のサブウーファＳＷが配置され、ユーザの左右後方に２個のサラウンドスピーカＳＬ，ＳＲが配置される。なお、ホームシアターシステムにおけるスピーカ数は、上記に限るものではない。
【００２８】
図２は、図１に示すホームシアターシステムを基本として本願発明の画像再生システムを説明するための構成図である。なお、図２に示す各装置の構成は、本実施形態に関連するもののみを示しており、図２に示す構成が各装置の全体を示すものではない。
【００２９】
画像再生システムは、ホームシアターシステムを構築するいわゆるＡＶ（audio/visual）機器によって構成される。具体的には、画像再生システムは、ディスプレイ装置としてのテレビジョン受像機１と、これに接続される信号処理装置としてのＡＶアンプ２と、これに接続される複数の画像出力装置としてのＤＶＤプレイヤ３、セットトップボックス４及びゲーム機５と、テレビジョン受像機１に接続されるＤＶＤレコーダ６とによって構成されている。なお、画像出力装置としてのＤＶＤプレイヤ３、セットトップボックス４及びゲーム機５は、一例であり、これらに代えて他のＡＶ機器が接続されていてもよい。
【００３０】
これらのＡＶ機器は、画像信号及び音声信号のディジタル入出力規格であるＨＤＭＩ（High Definition Multimedia Interface）規格に準拠している。この画像再生システムにおいては、例えば画像信号及び音声信号が流れる方向に着目して、ＤＶＤプレイヤ３、セットトップボックス４及びゲーム機５等を上流側、テレビジョン受像機１を下流側としている。ＨＤＭＩ規格では、テレビジョン受像機１のように最下流側に位置するＡＶ機器のことを「シンク機器」と呼称し、ＤＶＤプレイヤ３、セットトップボックス４及びゲーム機５等のように最上流側に位置するＡＶ機器のことを「ソース機器」と呼称し、ＡＶアンプ２のようにツリー構造の途中に位置するＡＶ機器のことを「リピータ機器」と呼称する。
【００３１】
テレビジョン受像機１は、例えば液晶表示パネルあるいはプラズマパネルを有し、入力された画像信号を上記パネルに表示させるものである。テレビジョン受像機１は、テレビ制御部１１と、表示部１２と、チューナ回路部１３と、ビデオデコーダ部１４と、切替回路部１５とによって概略構成されている。
【００３２】
テレビ制御部１１は、図示しないマイクロコンピュータ等からなり、表示部１２、チューナ回路部１３、ビデオデコーダ部１４及び切替回路部１５等を統括的に制御するものである。テレビ制御部１１には、マンマシンインターフェースとしての操作部（図示略）が接続されており、テレビ制御部１１は、この操作部からのユーザによる操作入力や各部から入力される制御信号及びデータに基づいて所定のデータ処理を行う。
【００３３】
テレビ制御部１１は、メモリ１１ａ及びメモリ１１ｂを有しており、メモリ１１ａには、例えばテレビジョン受像機１の表示能力や音声能力を表すＥＤＩＤ（Extended Display Identification Data）が格納されている。例えばＥＤＩＤとしては、テレビジョン受像機１の物理アドレス、及びテレビジョン受像機１で処理可能な画像データの解像度の種類等の情報が挙げられる。ＥＤＩＤは、上流側機器であるＡＶアンプ２に読み取られるようになっている。
【００３４】
表示部１２は、液晶表示パネルあるいはプラズマディスプレイパネル等によって構成されている。
【００３５】
チューナ回路部１３は、テレビジョン放送を受信するための回路である。チューナ回路部１３は、図示しないが、例えば住宅の屋根に設置されるアンテナに外部端子を介して接続される。
【００３６】
ビデオデコーダ部１４は、特定の外部入力端子から入力される画像信号（アナログ信号）を処理して表示部１２に出力するための回路である。
【００３７】
テレビジョン受像機１には、外部入力端子として例えばＶＨＳ（video home system）機器と接続可能なコンポジット端子１６ａ、ＶＨＳ機器と接続可能であって輝度信号と色信号とを別々に分離したＳ（separate）端子１６ｂ、コンポーネント画像信号を取り扱う機器と接続可能であってコンポーネント画像信号を伝送するためのコンポーネント端子１６ｃ等が設けられている。ビデオデコーダ部１４は、これらコンポジット端子１６ａ、Ｓ端子１６ｂ及びコンポーネント端子１６ｃから入力される画像信号をデコード処理する。
【００３８】
さらに、テレビジョン受像機１には、ＨＤＭＩ規格に準拠する他のＡＶ機器と接続するための第１ＨＤＭＩ入力端子１７及び第２ＨＤＭＩ入力端子１８が設けられている。なお、テレビジョン受像機１に設けられるＨＤＭＩ入力端子の端子数は、２つに限るものではない。
【００３９】
メモリ１１ｂには、外部入力端子やテレビ放送等からの画像信号源（以下、これらのことを総称して「入力ソース」という。）の名称、及び入力ソースに対応する固有のソース番号が表１に示す入力ソーステーブルの形で記憶される。この入力ソーステーブルは、ユーザの操作入力に基づいて、表示部１２の表示画面にどの入力ソースの画像を表示させるかを選択するための入力選択画面（図３参照）を、表示部１２に表示させる際に用いられる。
【００４０】
【表１】
2008244980.tif 000003
【００４１】
具体的には、入力ソーステーブルには、表１に示すように、チューナ回路部１３を介して入力される入力ソースとしての「テレビ放送」に対するソース番号が「１」、コンポジット端子１６ａを介して入力される入力ソースとしての「コンポジット入力」に対するソース番号が「２」、Ｓ端子１６ｂを介して入力される入力ソースとしての「Ｓ端子入力」に対するソース番号が「３」、コンポーネント端子１６ｃを介して入力される入力ソースとしての「コンポーネント入力」に対するソース番号が「４」というように、各ソース番号が設定されて記憶されている。
【００４２】
第１及び第２ＨＤＭＩ入力端子１７，１８に対するソース番号は、後述するように、各ＨＤＭＩ入力端子１７，１８に接続されるＡＶ機器の物理アドレスに基づいて設定されて記憶される。本画像再生システムでは、第１ＨＤＭＩ入力端子１７を介して入力される入力ソースとしての「ＨＤＭＩ入力１」に対するソース番号が「５」、第２ＨＤＭＩ入力端子１８を介して入力される入力ソースとしての「ＨＤＭＩ入力２」に対するソース番号が「６」というように記憶される。
【００４３】
この画像再生システムでは、第１ＨＤＭＩ入力端子１７にＡＶアンプ２が接続され、第２ＨＤＭＩ入力端子１８にＤＶＤレコーダ６が接続されている。テレビジョン受像機１が第１及び第２ＨＤＭＩ入力端子１７，１８を介して他のＡＶ機器と接続される場合、ＨＤＭＩ端子専用のＨＤＭＩケーブル７が用いられる。
【００４４】
ＨＤＭＩケーブル７は、これによって互いに接続されるＡＶ機器間において画像信号、音声信号及び制御信号を送受信することができるものである。ＨＤＭＩケーブル７は、ＨＤＭＩ端子のピン配列に対応した複数の信号線を有している。
【００４５】
ＨＤＭＩ端子は、例えば合計１９ピンのピン配列を有し、各ピンには固有番号が決められており、各ピンを通じて伝送される信号の種類も予め決められている。例えば、第１ないし第１２ピンを通じて、画像信号や音声信号が伝送される。第１３ピンを通じて、ＣＥＣ（consumer electronics control）によるコマンド及びデータ等が伝送される。また、第１９ピンを通じて、ホットプラグ信号が伝送される。
【００４６】
ＨＤＭＩケーブル７は、図２に示すように、第１ないし第１２ピンに対応して画像信号線７ａ（図２では単数本であるが、実際には単数本ではない）を有している。ＨＤＭＩケーブル７は、第１３ピンに対応してＣＥＣ制御線７ｂを有している。また、図示していないが、ＨＤＭＩケーブル７は、第１９ピンに対応してホットプラグ信号線を有している。
【００４７】
ここで、ＣＥＣとは、ＨＤＭＩケーブル７に含まれるＣＥＣ制御線７ｂを通じて所定のコマンド（以下、「ＣＥＣコマンド」という。）を送受信することによりＡＶ機器同士を互いに制御することのできる機能のことをいう。ＣＥＣでは、ＡＶ機器提供会社等によって任意のＣＥＣコマンドを作成することが可能であり、このＣＥＣコマンドを用いてＡＶ機器同士を互いに制御しあうことができる。
【００４８】
また、ホットプラグ信号とは、ＨＤＭＩケーブル７によって接続されている相手側のＡＶ機器が稼動状態にあってかつＥＤＩＤが読み取り可能な状態であるか否かを検出するためのものである。図示していないが、テレビ制御部１１には、第１及び第２ＨＤＭＩ入力端子１７，１８との間でホットプラグ信号線がそれぞれ接続されている。
【００４９】
テレビ制御部１１は、ホットプラグ信号線に供給するホットプラグ信号の論理レベルを変化させることにより、テレビジョン受像機１が稼動状態にあってかつＥＤＩＤが読み取られ可能な状態であるか否かを、接続された他のＡＶ機器に検出させることができる。テレビ制御部１１は、テレビジョン受像機１が稼動状態にあってかつＥＤＩＤが読み取られ可能な状態であるとき、ホットプラグ信号をＨ（high）レベルに変化させる。また、テレビジョン受像機１が稼動状態にないか、若しくはＥＤＩＤが読み取られ不可能な状態であるとき、ホットプラグ信号をＬ（low）レベルに変化させる。
【００５０】
また、テレビジョン受像機１には、第１及び第２ＨＤＭＩ入力端子１７，１８のＣＥＣ端子同士及びテレビ制御部１１を相互に接続するＣＥＣバス１９が設けられている。これにより、テレビ制御部１１は、各ＨＤＭＩ入力端子１７，１８におけるＣＥＣの情報を認識することができるようになっている。
【００５１】
切替回路部１５は、各入力端子から入力される画像信号のうちいずれかの画像信号を表示部１２に出力させるかを切り替える回路である。切替回路部１５の入力側には、チューナ回路部１３、ビデオデコーダ部１４、第１及び第２ＨＤＭＩ入力端子１７，１８がそれぞれ接続され、切替回路部１５の出力側には表示部１２が接続されている。
【００５２】
テレビ制御部１１は、後述する入力選択画面におけるユーザの選択操作に基づいて切替回路部１５に切替制御信号を出力する。切替回路部１５は、テレビ制御部１１からの上記切替制御信号により表示部１２に出力させる画像信号を切り替える。
【００５３】
このテレビジョン受像機１には、これを遠隔操作するためのリモコン装置８が備えられている。上記操作部には、リモコン装置８と例えば赤外線通信可能にするための通信部が設けられている。
【００５４】
ここで、テレビ制御部１１は、表示部１２の表示画面に、表示に関する各種の設定を行うためのセットアップメニューを表示させる機能を有している。セットアップメニューには、図３に示すように、表示部１２にどの入力ソースからの画像信号を表示させるか否かを選択するための入力選択画面が含まれている。
【００５５】
より具体的には、入力選択画面は、図３に示すように、予め定められた複数の枠３１（３１ａ〜３１ｈ）を有しており、これらの枠３１ａ〜３１ｈのそれぞれに入力ソースの名称（入力端子名、ＡＶ機器の名称等）が表示される。これら枠３１ａ〜３１ｈのうちのいずれかにはカーソル３２が指示するように表示され、ユーザの操作に基づいてカーソル３２を他の枠３１ａ〜３１ｈに上下移動させることができるようになっている。いずれかの枠３１ａ〜３１ｈをカーソル３２が指示した状態で決定操作がユーザによりなされると、当該枠３１内に表示された入力ソースが設定され、当該入力ソースの画像信号が表示部１２に表示されるようになっている。
【００５６】
テレビ制御部１１は、入力選択画面が表示されているとき、ＡＶアンプ２に接続されているＡＶ機器（例えば、ＤＶＤプレイヤ３、セットトップボックス４及びゲーム機５）のいずれかが選択された場合、ＡＶアンプ２に対してその内容を示す信号を送信する機能を有している。
【００５７】
図２に戻り、ＡＶアンプ２は、ホームシアターシステムの中枢をなすＡＶ機器であり、ＨＤＭＩ規格に準拠している。ＡＶアンプ２は、アンプ制御部２１と、切替回路２２とによって概略構成されている。
【００５８】
アンプ制御部２１は、図示しないマイクロコンピュータ等からなり、ＡＶアンプ２を統括的に制御するものである。アンプ制御部２１には、マンマシンインターフェースとしての操作部（図示略）が接続されており、アンプ制御部２１は、この操作部からの操作入力や他のＡＶ機器から入力される制御信号及びデータに基づいて所定のデータ処理を行う。
【００５９】
アンプ制御部２１は、メモリ２１ａ及びメモリ２１ｂを有しており、メモリ２１ａには、テレビジョン受像機１と同様に、ＥＤＩＤが格納されている。ＥＤＩＤとしては、例えばＡＶアンプ２の物理アドレス、及びＡＶアンプ２で処理可能な画像データの解像度の種類等の情報が挙げられる。ＥＤＩＤは、上流側機器であるＤＶＤプレイヤ３等に読み取られるようになっている。
【００６０】
ＡＶアンプ２には、外部入出力端子として複数のＨＤＭＩ端子が設けられている。すなわち、ＡＶアンプ２には、ＤＶＤプレイヤ３を接続するための第１ＨＤＭＩ入力端子２３、セットトップボックス４を接続するための第２ＨＤＭＩ入力端子２４、及びゲーム機５等を接続するための第３ＨＤＭＩ入力端子２５が設けられている。なお、ＡＶアンプ２には、上記以外のＨＤＭＩ入力端子が設けられていてもよい。さらに、ＡＶアンプ２には、テレビジョン受像機１が接続されるＨＤＭＩ出力端子２６が設けられている。
【００６１】
メモリ２１ｂには、これらの第１ないし第３ＨＤＭＩ端子２３，２４，２５に関する入力端子情報が、表２に示す入力端子テーブルの形で記憶される。具体的には、入力端子テーブルは、入力端子数（ＨＤＭＩ入力端子数）、各ＨＤＭＩ入力端子２３，２４，２５に接続されるＡＶ機器の名称（例えば「ＤＶＤ」、「セットトップボックス」及び「ゲーム機」）、及び各ＨＤＭＩ入力端子２３，２４，２５に対応する入力端子番号（例えば「ＤＶＤ」が「１」、「セットトップボックス」が「２」、「ゲーム機」が「３」）が記憶される。この入力端子情報は、必要に応じてテレビジョン受像機１に送信され、テレビジョン受像機１において入力選択画面（図３参照）を表示させる際に用いられる。
【００６２】
【表２】
2008244980.tif 000004
【００６３】
切替回路部２２は、ＤＶＤプレイヤ３、セットトップボックス４又はゲーム機５から入力される画像信号のうちいずらかの画像信号をＨＤＭＩ出力端子２６に出力させるかを切り替える回路である。切替回路部２２の入力側には、第１ないし第３ＨＤＭＩ入力端子２３，２４，２５がそれぞれ接続され、切替回路部２２の出力側には、ＨＤＭＩ出力端子２６が接続されている。
【００６４】
アンプ制御部２１は、テレビジョン受像機１からのＣＥＣコマンドに基づいて切替回路部２２に切替制御信号を出力する。切替回路部２２は、アンプ制御部２１からのこの切替制御信号によりＨＤＭＩ出力端子２６に出力させる画像信号を切り替える。これにより、テレビジョン受像機１側で選択されたＡＶ機器（例えばＤＶＤプレイヤ３）の画像信号がＨＤＭＩ出力端子２６に出力されるようになる。
【００６５】
また、ＡＶアンプ２には、第１ないし第３ＨＤＭＩ入力端子２３，２４，２５及びＨＤＭＩ出力端子２６の各ＣＥＣ端子同士及びアンプ制御部２１を相互に接続するＣＥＣバス２７が設けられている。これにより、アンプ制御部２１は、各ＨＤＭＩ入力端子２３，２４，２５及びＨＤＭＩ出力端子２６におけるＣＥＣの情報を認識することができるようになっている。
【００６６】
また、図示していないが、アンプ制御部２１には、ＨＤＭＩ出力端子２６との間にホットプラグ信号線が接続されている。アンプ制御部２１は、ホットプラグ信号線に伝送されるホットプラグ信号に基づいて、テレビジョン受像機１が稼動状態にあってかつＥＤＩＤが読み取り可能な状態であるか否かを検出することができる。なお、アンプ制御部２１には、第１ないし第３ＨＤＭＩ入力端子２３，２４，２５との間でホットプラグ信号線が接続されていてもよい。このホットプラグ信号線により、アンプ制御部２１は、ＤＶＤプレイヤ３等に、ＡＶアンプ２が稼動状態にあってかつＥＤＩＤが読み取られ可能な状態であるか否かを検出させることができる。
【００６７】
このＡＶアンプ２には、これを遠隔操作するためのリモコン装置９が備えられている。上記操作部には、リモコン装置９と例えば赤外線通信可能にするための通信部が設けられている。
【００６８】
ＤＶＤプレイヤ３は、ＤＶＤを再生するための装置であり、図２に示す構成の場合、ＨＤＭＩケーブル７を介してＡＶアンプ２に対して画像信号及び音声信号等を出力するものである。
【００６９】
セットトップボックス４は、例えばケーブルテレビによる放送信号を受信可能な装置であり、放送信号による画像信号及び音声信号等をＡＶアンプ２に対して出力するものである。
【００７０】
ゲーム機５は、例えばＣＤ−ＲＯＭに記憶されたゲームプログラムをローディングしつつユーザによるコントローラ（図示略）における操作に基づいて、所定のゲームを進行させるものであり、ゲーム進行における画像信号及び音声信号等をＡＶアンプ２に対して出力する。
【００７１】
ＤＶＤレコーダ６は、例えばハードディスク（図略）を有し、ハードディスクにテレビ放送で配信されるコンテンツを録画したり、録画したコンテンツをＤＶＤにダビングしたりすることのできるＡＶ機器である。図２によると、ＤＶＤレコーダ６は、テレビジョン受像機１の第２ＨＤＭＩ入力端子１８にＨＤＭＩケーブル７を介して接続されている。
【００７２】
次に、ＨＤＭＩ規格に関して本画像再生システムにおける物理アドレス及び論理アドレスについて、図４を参照して説明する。
【００７３】
ＨＤＭＩ規格によると、本画像再生システムを構築する各ＡＶ機器に対して、ＡＶ機器ごとに物理アドレスが割り当てられるようになっている。物理アドレスは、４つの数字の配列によって構成される。物理アドレスは、この画像再生システムを構成するＡＶ機器のツリー構造を表すものであり、各ＡＶ機器のツリー構造における位置を識別するために用いられる。
【００７４】
具体的には、この画像再生システムのシンク機器であるテレビジョン受像機１に対して、物理アドレス（０，０，０，０）が強制的に割り当てられる。テレビジョン受像機１には、図２に示したように、第１ＨＤＭＩ入力端子１７を介してＡＶアンプ２が接続され、第２ＨＤＭＩ入力端子１８を介してＤＶＤレコーダ６が接続されている。この場合、ＡＶアンプ２には、物理アドレス（１，０，０，０）が割り当てられる。また、ＤＶＤレコーダ６には、物理アドレス（２，０，０，０）が割り当てられる。すなわち、シンク機器（テレビジョン受像機１）の物理アドレスにおいて、最初の数字がテレビジョン受像機１のＨＤＭＩ入力端子の番号を示している。
【００７５】
さらに、ＡＶアンプ２には、第１ＨＤＭＩ入力端子２３を介してＤＶＤプレイヤ３が接続され、第２ＨＤＭＩ入力端子２４を介してセットトップボックス４が接続され、第３ＨＤＭＩ入力端子２５を介してゲーム機５が接続されている。この場合、ＤＶＤプレイヤ３には、物理アドレス（１，１，０，０）が割り当てられる。また、セットトップボックス４には、物理アドレス（１，２，０，０）が割り当てられる。また、ゲーム機５には、物理アドレス（１，３，０，０）が割り当てられる。すなわち、シンク機器（テレビジョン受像機１）に接続されているリピータ機器（ＡＶアンプ２）の物理アドレスにおいて、２番目の数字がＡＶアンプ２の各ＨＤＭＩ入力端子の番号を示している。
【００７６】
テレビジョン受像機１のＥＤＩＤには、ＡＶアンプ２とＤＶＤレコーダ６の物理アドレスが記憶されている。
【００７７】
シンク機器（テレビジョン受像機１）は、上流側に接続されるＨＤＭＩ入力端子に対応してそれらに接続されるリピータ機器（ＡＶアンプ２）の物理アドレスを作成する。リピータ機器（ＡＶアンプ２）は、自己の物理アドレスを認識する際、自己の下流側に位置するシンク機器のメモリに記憶されているＥＤＩＤを読み取ることができるようになっている。例えばＡＶアンプ２は、その下流側に位置するテレビジョン受像機１のメモリ１１ａに記憶されているＥＤＩＤを読み取り、自己の物理アドレスを認識するとともに、メモリ２１ａに記憶する。
【００７８】
リピータ機器（ＡＶアンプ２）は、この自己の物理アドレスに基づいて、上流側に接続されるＨＤＭＩ入力端子に対応してそれらに接続されるソース機器（ＤＶＤプレイヤ３等）の物理アドレスを作成する。ソース機器（ＤＶＤプレイヤ３等）は、自己の物理アドレスを認識する際、自己の下流側に位置するリピータ機器のメモリに記憶されているＥＤＩＤを読み取る。例えばＤＶＤプレイヤ３は、その下流側に位置するＡＶアンプ２のメモリ２１ａに記憶されているＥＤＩＤを読み取り、自己の物理アドレスを認識するとともに、メモリ（図略）に記憶する。
【００７９】
また、ＡＶ機器の各メモリには、物理アドレスの他に論理アドレスが記憶される。論理アドレスは、画像再生システムにおける各ＡＶ機器の固有の情報であり、各ＡＶ機器がＣＥＣ信号線７ｂ及びＣＥＣバス１９，２７を通じて通信を行うとき、通信データの送信先と送信元とを表すために用いられるものである。例えばテレビジョン受像機１は、論理アドレスが「０」に設定され、ＡＶアンプ２は、論理アドレスが「５」に設定される。
【００８０】
次に、テレビジョン受像機１及びＡＶアンプ２における制御処理を、図５〜図１１に示すフローチャートを参照して説明する。なお、この制御処理の実行においては、図２に示す構成における各機器が物理的に接続されていることを前提とする。
【００８１】
図５は、テレビジョン受像機１及びＡＶアンプ２における概略的な制御処理を示すものである。まず、テレビジョン受像機１及びＡＶアンプ２において電源投入時（又はリセット時）の処理が行われる（Ｓ１，Ｓ２）。
【００８２】
ＡＶアンプ２における電源投入時の処理（Ｓ２）では、テレビジョン受像機１に対して初期設定に関するＣＥＣコマンドが送信される。送信されたＣＥＣコマンドに対応して、テレビジョン受像機１では初期設定処理が行われる（Ｓ３）。
【００８３】
次いで、テレビジョン受像機１では、ユーザによる操作によって入力選択画面が表示された場合、ＯＳＤ（on-screen display）表示処理が行われる（Ｓ４）。その後、入力ソースを選択するための選択操作処理が行われる（Ｓ５）。選択操作処理においては、必要に応じてＡＶアンプ２に対して外部入力端子の切替に関するＣＥＣコマンドの送信が行われる。ＡＶアンプ２では、このＣＥＣコマンドの送信に対して、送信されたＣＥＣコマンドに対応して外部入力端子の切替処理が行われる（Ｓ６）。以下、各処理（Ｓ１〜Ｓ６）について詳述する。
【００８４】
図６は、テレビ制御部１１の電源投入時の処理（Ｓ１）を示すフローチャートである。なお、テレビ制御部１１にリセットがかけられたときにも、以下と同様の処理が行われる。
【００８５】
テレビ制御部１１は、電源が投入されると、変数Ｎ及び変数ｍを「０」にセットする（Ｔ１）。ここで、変数ＮはＡＶアンプ２の入力端子数を表す変数であり、変数ｍはＡＶアンプ２が接続されているＨＤＭＩ入力端子のソース番号を記憶するための変数である。これら変数Ｎ及び変数ｍは、テレビ制御部１１のメモリ１１ａに逐次記憶されて用いられる。
【００８６】
次に、テレビ制御部１１は、物理アドレスに関するＥＤＩＤを作成する（Ｔ２）。すなわち、テレビ制御部１１は、自己の物理アドレス（０，０，０，０）に基づいて第１及び第２ＨＤＭＩ端子１７，１８に対応する物理アドレスをＥＤＩＤとして作成する。例えば、第１ＨＤＭＩ端子１７に対応する物理アドレス（１，０，０，０）と、第２ＨＤＭＩ端子１８に対応する物理アドレス（２，０，０，０）とをそれぞれ作成する。なお、ＥＤＩＤの内容が固定の場合、テレビ製造時にＥＤＩＤが作成されるので、ステップＴ２におけるＥＤＩＤの作成処理は省略される。
【００８７】
次いで、テレビ制御部１１は、第１及び第２ＨＤＭＩ入力端子１７，１８のホットプラグ端子をＬレベルからＨレベルに変化させる（Ｔ３）。これにより、第１及び第２ＨＤＭＩ入力端子１７，１８に接続されたＡＶ機器、例えばＡＶアンプ２及びＤＶＤレコーダ６側において、テレビジョン受像機１には電源が投入されかつＥＤＩＤが読み取り可能であることを検出することができる。
【００８８】
図７は、アンプ制御部２１の電源投入時の処理（Ｓ２）を示すフローチャートである。なお、アンプ制御部２１にリセットがかけられたときにも、以下と同様の処理が行われる。
【００８９】
まず、ＡＶアンプ２に電源が投入されると、アンプ制御部２１は、ＨＤＭＩ出力端子２６のホットプラグ端子がＨレベルであるか否かを判別する（Ｔ１１）。すなわち、テレビジョン受像機１は、電源が投入されかつＥＤＩＤが読み取られ可能な状態になると、自己の第１及び第２ＨＤＭＩ入力端子１７，１８のホットプラグ端子をＬレベルからＨレベルに変化させる。ＡＶアンプ２のＨＤＭＩ出力端子２６にはテレビジョン受像機１が接続されているため、ＨＤＭＩ出力端子２６のホットプラグ端子のレベルを検出することにより、テレビジョン受像機１に電源が投入されかつＥＤＩＤを読み取り可能な状態にあることを判別することができる。
【００９０】
ホットプラグ端子がＨレベルである場合（Ｔ１１：ＹＥＳ）、アンプ制御部２１は、ＨＤＭＩケーブル７を介してテレビジョン受像機１のメモリ１１ａに記憶されているＥＤＩＤを読み出し、自己の物理アドレスを取得する（Ｔ１２）。すなわち、テレビジョン受像機１のメモリ１１ａには、ＥＤＩＤとしてテレビジョン受像機１の第１及び第２ＨＤＭＩ入力端子１７，１８に接続されたＡＶ機器（すなわちＡＶアンプ２及びＤＶＤレコーダ６）の物理アドレスがそれぞれ記憶されている。そのため、アンプ制御部２１は、容易に自己の物理アドレス（１，０，０，０）を取得することができる。
【００９１】
次いで、アンプ制御部２１は、ＣＥＣバス１９，２７上における自己の論理アドレスを取得する（Ｔ１３）。すなわち、アンプ制御部２１は、物理アドレスの取得後、テレビジョン受像機１に対して自己の論理アドレスをＣＥＣバス１９，２７上において宣言することを示す信号を出力する。これにより、アンプ制御部２１は、自己の論理アドレス（例えば「５」）を取得する。
【００９２】
その後、アンプ制御部２１は、自己の物理アドレス及び論理アドレスを他のＡＶ機器に通知するために、自己の物理アドレス及び論理アドレスをＣＥＣコマンドを用いて出力する（Ｔ１４）。他のＡＶ機器は、このＣＥＣコマンドを受信することにより、送信元のＡＶ機器の物理アドレス及び論理アドレスを認識することができる。
【００９３】
次に、アンプ制御部２１は、ＣＥＣコマンドを用いて、テレビジョン受像機１に対してテレビジョン受像機１のベンダーＩＤ（通常、ＡＶ機器提供会社等の識別符号によって構成される）を問い合わせる（Ｔ１５）。
【００９４】
アンプ制御部２１は、テレビジョン受像機１からの返答の内容がＡＶアンプ２の対応ベンダーであるか否かを判別する（Ｔ１６）。これは、例えば同じＡＶ機器提供会社であればＣＥＣコマンドを共有できるので、それを確認するための処理である。
【００９５】
テレビジョン受像機１からの返答の内容がＡＶアンプ２の対応ベンダーである場合（Ｔ１６：ＹＥＳ）、アンプ制御部２１は、メモリ２１ａに記憶されている、表２に示した入力端子テーブルを参照し、入力端子情報（入力端子数、入力端子に接続されるＡＶ機器の名称及びそれに対応する入力端子番号）を読み出して、ＣＥＣのベンダー固有コマンドを用いてそれらの情報をテレビジョン受像機１に送信する（Ｔ１７）。これにより、テレビジョン受像機１は、ＡＶアンプ２に接続されるＡＶ機器の数やＡＶ機器の名称等を認識することができる。
【００９６】
ステップＴ１６において、テレビジョン受像機１からの返答の内容がＡＶアンプ２の対応ベンダーでない場合（Ｔ１６：ＮＯ）、入力端子情報を送信しないで処理を終了する。なお、図７に示す処理は、ＤＶＤレコーダ６において行われてもよい。
【００９７】
図８は、テレビ制御部１１の初期設定処理（Ｓ３）を示すフローチャートである。特に、図８は、ＡＶアンプ２の電源投入時の処理（Ｓ２）において送信されたＣＥＣコマンドに対応する処理を示すものである。
【００９８】
テレビ制御部１１は、ＡＶアンプ２からＣＥＣコマンドを受信したとき、それがベンダーＩＤを問い合わせるためのコマンドであるか否かを判別する（Ｔ２１）。ＣＥＣコマンドがベンダーＩＤを問い合わせるためのコマンドである場合（Ｔ２１：ＹＥＳ）、テレビ制御部１１は、ＣＥＣコマンドを用いて自己のベンダーＩＤをＡＶアンプ２に返信する（Ｔ２２）。
【００９９】
ステップＴ２１においてＣＥＣコマンドがベンダーＩＤを問い合わせるためのコマンドでない場合（Ｔ２１：ＮＯ）、テレビ制御部１１は、ＣＥＣコマンドがＡＶアンプ２の物理アドレスの通知であるか否かを判別する（Ｔ２３）。ＣＥＣコマンドがＡＶアンプ２の物理アドレスの通知である場合（Ｔ２３：ＹＥＳ）、ＡＶアンプ２が接続されている第１ＨＤＭＩ入力端子１７のソース番号を記憶するための変数である変数ｍを算出してメモリ１１ａに記憶する（Ｔ２４）。
【０１００】
すなわち、通知された物理アドレスに基づいて、その物理アドレスを有するＡＶアンプ２が表１に示した入力ソーステーブルのどのソース番号に相当するかを求める。例えば、送信先の物理アドレスが（ａ，０，０，０）であるとき、ｍ＝５＋（ａ−１）を演算して変数ｍを求め、新たに算出された変数ｍをメモリ１１ａに記憶する。具体的には、ＡＶアンプ２の物理アドレスは、（１，０，０，０）であるので、変数ｍは「５」と算出され入力ソーステーブルと参照される。すなわち、ソース番号が「５」である「ＨＤＭＩ入力１」の入力ソースは、ＡＶアンプ２であることが認識される。
【０１０１】
なお、上記したｍ＝５＋（ａ−１）の式における右辺の「５」は、図２に示すテレビジョン受像機１の入力ソースの構成に依存して決められているものである。例えば、表１によると、「ＨＤＭＩ入力１」は、ＨＤＭＩ規格以外の入力ソースである「テレビ放送」、「コンポジット入力」、「Ｓ端子入力」、「コンポーネント入力」に続いて５番目にあるので、「５」と決められる。
【０１０２】
ステップＴ２３においてＣＥＣコマンドがＡＶアンプ２の物理アドレスの通知でない場合（Ｔ２３：ＮＯ）、ＣＥＣコマンドが入力端子情報（表２の入力端子テーブル参照）を示すコマンドであるか否かが判別される（Ｔ２５）。ＣＥＣコマンドが入力端子情報を示すコマンドである場合（Ｔ２５：ＹＥＳ）、送信された入力端子情報に基づいて、ＡＶアンプ２の入力端子数、入力端子名、及び入力選択画面（図３参照）に表示させる入力ソースの枠３１の総数がメモリ１１ａに記憶される（Ｔ２６）。
【０１０３】
具体的には、メモリ１１ａに、入力端子数を表す変数である変数Ｎとして「３」が記憶される。また、文字列配列変数Ｎａｍｅ［１］として「ＤＶＤ」が、文字列配列変数Ｎａｍｅ［２］として「セットトップボックス」が、及び文字列配列変数Ｎａｍｅ［３］として「ゲーム」がそれぞれ文字列として記憶される。さらに、入力選択画面に表示させる枠３１の総数を表す変数ｎとして、ｎ＝６＋Ｎ−１が演算され、変数ｎが記憶される。この場合、変数Ｎは「３」であるので、変数ｎは「８」となり、入力選択画面に表示させる枠３１の総数として「８」がメモリ１１ａに記憶される。
【０１０４】
なお、上記したｎ＝６＋Ｎ−１の式における右辺の「６」は、図２に示すテレビジョン受像機１の入力ソースの構成に依存して決められているものである。例えば、テレビジョン受像機１の入力ソース数は、表１に示したように６個であるので、上式では「６」と決められる。
【０１０５】
このように、テレビ制御部１１では、ＡＶアンプ２からのＣＥＣコマンドに基づいて、入力選択画面に表示される入力ソースの名称や入力ソースの枠３１の総数が決定される。
【０１０６】
ステップＴ２５において、ＣＥＣコマンドが入力端子情報でない場合（Ｔ２５：ＮＯ）、ＣＥＣコマンドに関する他の処理を行う（Ｔ２７）。
【０１０７】
図９は、テレビ制御部１１のＯＳＤ表示処理（Ｓ４）を示すフローチャートである。すなわち、図９は、表示部１２に入力選択画面（図３参照）を表示させる際の処理を示すものである。
【０１０８】
テレビ制御部１１は、例えばリモコン装置８によるユーザの操作によって、表示部１２に入力選択画面を表示させることの指令を受けたとき、まず、ループ変数ｉに「１」を代入し、メモリ１１ａにループ変数ｉを記憶する（Ｔ３１）。ここで、ループ変数ｉとは、枠３１に入力端子名を表示させるための処理に用いられる変数である。
【０１０９】
次いで、テレビ制御部１１は、ループ変数ｉと変数ｍとが等しいか否かを判別する（Ｔ３２）。例えば変数ｍが「５」であるとき、ループ変数ｉと変数ｍとが等しくないと判別され（Ｔ３２：ＮＯ）、表１に示す入力ソーステーブルを参照して、ソース番号がｉ番目の入力端子名を表示する（Ｔ３３）。例えば、ｉ＝１であるときソース番号が「１」の「テレビ放送」が最上位の枠３１ａに表示される。
【０１１０】
次いで、ループ変数ｉに１が加算されて新たにループ変数ｉが記憶され（Ｔ３４）、新たなループ変数ｉが入力ソース数より小さいか否かの判別を行う（Ｔ３５）。ループ変数ｉが入力ソース数より小さい場合（Ｔ３５：ＹＥＳ）、ステップＴ３２のループ変数ｉと変数ｍとの比較処理に戻る。この場合、新たにループ変数ｉは「２」となっているので、ソース番号が「２」の「コンポジット入力」が次の枠３１ｂに表示される。
【０１１１】
以下、ループ変数ｉと変数ｍとが等しくなるまで、ループ変数ｉが「１」ずつ加算され、ソース番号が４番目の入力端子名までが枠３１ａ，ｂ，ｃ，ｄに順次表示される。変数ｍは「５」であるので、ループ変数ｉが「５」となると、ステップＴ３２においてループ変数ｉが変数ｍと等しくなり（Ｔ３２：ＹＥＳ）、ステップＴ３６に進む。
【０１１２】
ステップＴ３６では、ループ変数ｊに「１」が代入される。ここで、ループ変数ｊとは、図８の初期設定処理で記憶された文字列を表示させるための処理に用いられる変数である。
【０１１３】
テレビ制御部１１は、メモリ１１ａに記憶された文字列のうち、文字列配列変数Ｎａｍｅがｊ番目の文字列を表示する（Ｔ３７）。この場合、文字列配列変数Ｎａｍｅ［１］は「ＤＶＤ」であるので、「ＤＶＤ」が次の枠３１ｅに表示される。
【０１１４】
次いで、ループ変数ｊに１が加算されて新たにループ変数ｊが記憶され（Ｔ３８）、新たなループ変数ｊが変数Ｎより小さいか否かの判別を行う（Ｔ３９）。ループ変数ｊが変数Ｎより小さい場合（Ｔ３９：ＹＥＳ）、ステップＴ３７に戻る。すなわち、文字列配列変数Ｎａｍｅ［２］の「セットトップボックス」が次の枠３１ｆに表示される。
【０１１５】
さらに、ループ変数ｊが「１」加算され、文字列配列変数Ｎａｍｅ［３］の「ゲーム機」が枠３１ｇに表示される。この場合、変数Ｎが「３」であるので、ループ変数ｊが「３」となると、ステップＴ３９においてループ変数ｊが変数Ｎと等しくなり（Ｔ３９：ＮＯ）、ステップＴ３４に進み、ループ変数ｉが「１」加算される。
【０１１６】
すなわち、ソース番号が「６」の「ＨＤＭＩ入力２」が次の枠３１ｈに表示される。ステップＴ３５では、ループ変数ｉが入力ソース数と等しくなると（Ｔ３５：ＮＯ）、ＯＳＤ表示処理を終了し、選択操作処理（Ｓ５）に移行する。
【０１１７】
従来では、図１３に示したように、テレビジョン受像機１に設けられた外部入力端子名しか表示されず、ＡＶアンプ２に接続されているＡＶ機器の名称は表示されなかったため、入力選択画面において入力ソースの選択を行いたいときでも、まず、テレビジョン受像機１で「ＨＤＭＩ入力１」を選択した後、ＡＶアンプ２で所望のＡＶ機器を選択する必要があった。
【０１１８】
しかしながら、本実施形態によれば、入力選択画面においてＡＶアンプ２に接続されている全てのＡＶ機器の名称が表示されるので、ユーザはテレビジョン受像機１における操作のみで、所望のＡＶ機器を選択することができる。
【０１１９】
図１０は、テレビ制御部１１の選択操作処理（Ｓ５）を示すフローチャートである。すなわち、図１０に示すフローチャートは、ユーザの操作入力によって入力ソースが選択される際の処理を示すものである。なお、この選択操作処理が行われるときには、メモリ１１ａには、入力ソース名と、それに対応するメニュー番号と、それに対応する入力選択画面の枠位置が、表３に示すメニュー番号テーブルの形で記憶されている。
【０１２０】
【表３】
2008244980.tif 000005
【０１２１】
すなわち、このメニュー番号テーブルは、図９のフローチャートに示したＯＳＤ表示処理において入力選択画面に表示させるべき全ての入力ソース名を表したものでああり、上述した図９に示すＯＳＤ表示処理において作成されるものである。
【０１２２】
図１０によると、テレビ制御部１１は、メニュー番号変数ｋに「１」を代入する（Ｔ４１）。ここで、メニュー番号変数ｋとは、入力ソースを選択設定するときに入力選択画面のいずれかの枠３１を指定するための処理に用いられる変数である。
【０１２３】
次いで、テレビ制御部１１は、メニュー番号変数ｋに相当する入力選択画面の枠３１の位置にカーソル３２を表示させる。この場合、メニュー番号変数ｋは「１」であるので、図３に示すように、枠３１ａを指示するようにカーソル３２が表示される。
【０１２４】
次に、リモコン装置８に対してユーザによる操作入力があるか否かが判別される（Ｔ４３）。ここで、図示しないが、リモコン装置８には、カーソル３２を画面上の上方向に移動させる「カーソル上ボタン」、カーソル３２を画面上の下方向に移動させる「カーソル下ボタン」、及び操作入力を決定する「決定ボタン」等が設けられている。
【０１２５】
ユーザによる操作入力がある場合（Ｔ４３：ＹＥＳ）、その入力が「カーソル上ボタン」であるか否かが判別される（Ｔ４４）。入力が「カーソル上ボタン」である場合（Ｔ４４：ＹＥＳ）、メニュー番号変数ｋが「１」であるか否かが判別され（Ｔ４５）、メニュー番号変数ｋが「１」である場合（Ｔ４３：ＹＥＳ）、ステップＴ４３のユーザによる操作入力の有無を判別する処理に戻る。また、メニュー番号変数ｋが「１」でない場合（Ｔ４３：ＮＯ）、メニュー番号変数ｋから「１」を減算し、それを新たなメニュー番号変数ｋとし（Ｔ４６）、ステップＴ４２のメニュー番号変数ｋの枠３１の位置にカーソル３２を表示させる処理を行う。
【０１２６】
すなわち、上記処理は、カーソル３２が最上位の枠３１ａを指示するときには、さらに上方向の枠がないので、「カーソル上ボタン」が操作されてもその操作を無視して次の操作の待機状態となることを示している。カーソル３２が最上位でないいずれかの枠３１を指示するときには、当該枠３１の一つ上方向に位置する枠３１を指示することを示している。
【０１２７】
ユーザによる操作入力が「カーソル上ボタン」でない場合（Ｔ４４：ＮＯ）、その入力が「カーソル下ボタン」であるか否かが判別される（Ｔ４７）。入力が「カーソル下ボタン」である場合（Ｔ４７：ＹＥＳ）、メニュー番号変数ｋが変数ｎ（枠３１の数を表す）と等しいか否かが判別され（Ｔ４８）、メニュー番号変数ｋが変数ｎ（例えば「８」）と等しい場合（Ｔ４８：ＹＥＳ）、ステップＴ４３のユーザによる操作入力の有無を判別する処理に戻る。また、メニュー番号変数ｋが変数ｎと等しくない場合（Ｔ４８：ＮＯ）、メニュー番号変数ｋに「１」を加算し、それを新たなメニュー番号変数ｋとし（Ｔ４９）、ステップＴ４２のメニュー番号変数ｋの枠３１の位置にカーソル３２を表示させる処理を行う。
【０１２８】
すなわち、上記処理は、カーソル３２が最下位でないいずれかの枠３１を指示するときには、当該枠３１の一つ下方向に位置する枠３１を指示することを示している。また、カーソル３２が最下位の枠３１ｈを指示するときには、さらに下方向の枠がないので、「カーソル下ボタン」が操作されてもその操作を無視して次の操作の待機状態となることを示している。
【０１２９】
ステップＴ４７において、ユーザによる操作入力が「カーソル下ボタン」でない場合（Ｔ４７：ＮＯ）、操作入力が「決定ボタン」であるか否かが判別される（Ｔ５０）。操作入力が「決定ボタン」でない場合（Ｔ５０：ＮＯ）、ステップＴ４３に戻る。一方、操作入力が「決定ボタン」である場合（Ｔ５０：ＹＥＳ）、メニュー番号変数ｋが変数ｍ（この場合「５」）より小さいか否かが判別される（Ｔ５１）。メニュー番号変数ｋが変数ｍより小さい場合（Ｔ５１：ＹＥＳ）、ｋ番目の入力ソースが選択される（Ｔ５２）。
【０１３０】
例えばメニュー番号変数ｋが「１」の場合、入力ソースとして「テレビ放送」が選択される。この場合、テレビ制御部１１は、切替回路部１５の入力側がチューナ回路部１３になるように切替制御信号を切替回路部１５に出力する。これにより、切替回路部１５において切替動作が行われ、チューナ回路部１３からテレビ放送による画像信号が表示部１２に出力される。
【０１３１】
また、例えばメニュー番号変数ｋが「４」の場合、入力ソースとして「コンポーネント入力」が選択される。この場合、テレビ制御部１１は、切替回路部１５の入力側がビデオデコーダ部１になるように切替制御信号を切替回路部１５に出力する。これにより、切替回路部１５において切替動作が行われ、コンポーネント端子１６ｃから入力される例えばＶＨＳ機器の画像信号が表示部１２に出力される。
【０１３２】
一方、ステップＴ５１においてメニュー番号変数ｋが変数ｍより小さくない場合（Ｔ５１：ＮＯ）、メニュー番号変数ｋが変数ｍと変数Ｎ（この場合「３」）との和より小さいか否かが判別される（Ｔ５３）。メニュー番号変数ｋが変数ｍと変数Ｎとの和より小さい場合（Ｔ５３：ＹＥＳ）、ｍ番目の入力ソースが選択される（Ｔ５４）。すなわち、メニュー番号変数ｋが「５」以上であって「８」未満の入力ソースである、「ＤＶＤ（メニュー番号変数ｋは「５」）」、「セットトップボックス（同じく「６」）」、「ゲーム機（同じく「７」）」のいずれかが選択されることになる。
【０１３３】
例えば５（ｍ）番目の入力ソース（ＤＶＤ）が選択されたとすると、テレビ制御部１１は、切替回路部１５の入力側が第１ＨＤＭＩ入力端子１７になるように切替制御信号を切替回路部１５に出力する。これにより、切替回路部１５において切替動作が行われ、第１ＨＤＭＩ入力端子１７から入力されるＡＶアンプ２からの画像信号が表示部１２に出力されるようになる。
【０１３４】
次いで、テレビ制御部１１は、（ｋ−ｍ＋１）番目のＡＶアンプ２の入力端子を選択するようにＣＥＣコマンドでＡＶアンプ２に対して送信する（Ｔ５５）。つまり、ＡＶアンプ２に第１ないし第３ＨＤＭＩ入力端子２３，２４，２５にそれぞれ接続されているＤＶＤプレイヤ３、セットトップボックス４及びゲーム機５のいずれかが選択されることになる。
【０１３５】
ステップＳ５３においてメニュー番号変数ｋが変数ｍと変数Ｎとの和より大きい場合（Ｔ５３：ＮＯ）、（ｋ−ｍ＋１）番目の入力ソースが選択される（Ｔ５６）。すなわち、メニュー番号変数ｋが「８」の入力ソースである「ＨＤＭＩ入力２」が選択される。この場合、テレビ制御部１１は、切替回路部１５の入力側が第２ＨＤＭＩ入力端子１８になるように切替制御信号を切替回路部１５に出力する。これにより、切替回路部１５において切替動作が行われ、第２ＨＤＭＩ入力端子１８から入力されるＤＶＤレコーダ６の画像信号が表示部１２に出力される。
【０１３６】
このように、ユーザによる操作入力によって入力選択画面に表示されている入力ソースのいずれかを選択することができ、選択された入力ソースに応じて切替回路部１５を切り替えることができる。
【０１３７】
図１１は、アンプ制御部２１の外部入力端子の切替処理（Ｓ６）を示すフローチャートである。すなわち、図１１に示すフローチャートは、テレビジョン受像機１から送信されたＣＥＣコマンドに対応して行われる切替処理を示すものである。
【０１３８】
アンプ制御部２１は、テレビジョン受像機１からのＣＥＣコマンドを受信した場合、それが外部入力端子の切替に関するＣＥＣコマンドであるか否かを判別する（Ｔ６１）。受信したＣＥＣコマンドが外部入力端子の切替に関するＣＥＣコマンドである場合（Ｔ６１：ＹＥＳ）、アンプ制御部２１は、切替回路部２２の入力側を、選択された外部入力端子に切り替える（Ｔ６２）。
【０１３９】
例えば、図１０に示したフローチャートのステップＴ５４において、例えば５（ｍ）番目の入力ソース（ＤＶＤ）が選択された場合、アンプ制御部２１は、切替回路部２２の入力側が１（ｋ−ｍ＋１）番目のＡＶアンプ２の外部入力端子である第１ＨＤＭＩ入力端子２３（表２の入力端子テーブル参照）になるように切替制御信号を切替回路部２２に出力する。これにより、切替回路部２２において切替動作が行われ、第１ＨＤＭＩ入力端子２３から入力されるＤＶＤプレイヤ３の画像信号がＨＤＭＩ出力端子２６に出力される。
【０１４０】
ＨＤＭＩ出力端子２６から出力されたＤＶＤプレイヤ３の画像信号は、ＨＤＭＩケーブル７を介してテレビジョン受像機１の第１ＨＤＭＩ入力端子１７に入力される。テレビジョン受像機１では、切替回路部１５の切替動作によって第１ＨＤＭＩ入力端子１７と表示部１２とが接続されているため、第１ＨＤＭＩ入力端子１７に入力されたＤＶＤプレイヤ３の画像信号は、表示部１２に出力されることになる。
【０１４１】
ステップＴ６１において、受信したＣＥＣコマンドが外部入力端子の変更に関するＣＥＣコマンドでない場合（Ｔ６１：ＮＯ）、ＣＥＣコマンドに関する他の処理を行う（Ｔ６３）。
【０１４２】
このように、テレビジョン受像機１側で入力選択画面において入力ソースの選択操作が行われたときには、その内容がＡＶアンプ２側に伝送されて、ＡＶアンプ２側で選択された入力ソースの画像信号がテレビジョン受像機１に送信されて表示部１２に表示出力することができる。そのため、ユーザは、例えばＡＶアンプ２のリモコン装置９を用いて入力ソースの選択操作を行う必要がなくなるので、操作性に優れかつ利便性の高い画像再生システムを提供することができる。
【０１４３】
図１２は、画像再生システムの変形例を示す構成図である。同図によると、ＡＶアンプ２Ａに、外部入力端子として例えばＶＨＳ機器と接続可能なコンポジット端子２８ａ、Ｓ端子２８ｂ及びコンポーネント端子２８ｃが設けられている。これらコンポジット端子２８ａ、Ｓ端子２８ｂ及びコンポーネント端子２８ｃには、ＨＤＭＩ変換回路部２９が接続されている。ＨＤＭＩ変換回路部２９は、例えばＶＨＳ機器から出力されるアナログ信号としての画像信号をＨＤＭＩ規格で取扱うことの可能な信号に変換するものである。ＨＤＭＩ変換回路部２９の出力は、切替回路部２２に接続されている。
【０１４４】
また、テレビジョン受像機１Ａでは、図２に示したコンポジット端子１６ａ、Ｓ端子１６ｂ、コンポーネント端子１６ｃ及びビデオデコーダ部１４等が省略されている。その他の構成については、図２に示した構成と略同様である。
【０１４５】
上記構成では、ＡＶアンプ２Ａでは、第１ないし第３ＨＤＭＩ入力端子２３，２４，２５の入力端子情報に加えて、コンポジット端子２８ａ、Ｓ端子２８ｂ及びコンポーネント端子２８ｃの入力端子情報がテレビジョン受像機１に送信される。テレビジョン受像機１Ａでは、ＡＶアンプ２Ａからの入力端子情報に基づいて、入力選択画面が表示部１２に表示される（この場合、図３に示した入力選択画面と同様の入力選択画面が表示される。）。そして、入力選択画面においてＡＶアンプ２Ａに接続されている入力ソースの選択がなされた場合には、ＡＶアンプ２Ａの切替回路部２２が切り替えられ、選択された入力ソースの画像信号がテレビジョン受像機１の表示部１２に出力される。
【０１４６】
このように、ＡＶアンプ２ＡにＨＤＭＩ規格に準拠していない外部入力端子が設けられたとしても、図２に示した画像再生システムと同様の作用効果を奏することができる。
【０１４７】
もちろん、この発明の範囲は上述した実施の形態に限定されるものではない。例えば、上記実施形態では、画像信号の切替動作の主体となるＡＶ機器としてＡＶアンプ及びテレビジョン受像機について説明したが、本願発明を適用することができるＡＶ機器であれば、上記実施形態に限るものではない。また、表２に示す入力端子テーブルにおける入力端子の機器名称は、各入力端子に接続されているソース機器から取得した実際の機器名称に基づいて変更するようにしてもよい。
【図面の簡単な説明】
【０１４８】
【図１】本願発明に係る画像再生システムが適用される、いわゆるホームシアターシステムの構成を示す図である。
【図２】本願発明の画像再生システムを説明するための構成図である。
【図３】表示部の入力選択画面の一例を示す図である。
【図４】画像再生システムにおける物理アドレスを説明するための模式図である。
【図５】テレビジョン受像機及びＡＶアンプにおける概略的な制御処理を示すフローチャートである。
【図６】テレビ制御部の電源投入時の処理を示すフローチャートである。
【図７】アンプ制御部の電源投入時の処理を示すフローチャートである。
【図８】テレビ制御部の初期設定処理を示すフローチャートである。
【図９】テレビ制御部のＯＳＤ表示処理を示すフローチャートである。
【図１０】テレビ制御部の選択操作処理を示すフローチャートである。
【図１１】アンプ制御部の外部入力端子の切替処理を示すフローチャートである。
【図１２】画像再生システムの変形例を示す構成図である。
【図１３】従来のテレビジョン受像機の入力選択画面の一例を示す図である。
【符号の説明】
【０１４９】
１  テレビジョン受像機（ディスプレイ装置）
２  ＡＶアンプ（信号処理装置）
３  ＤＶＤプレイヤ（画像出力装置）
４  セットトップボックス（画像出力装置）
５  ゲーム機（画像出力装置）
６  ＤＶＤレコーダ
７  ＨＤＭＩケーブル
８  リモコン装置（テレビジョン受像機の）
９  リモコン装置（ＡＶアンプの）
１１  テレビ制御部
１１ａ  メモリ
１２  表示部
１３  チューナ回路部
１４  ビデオデコーダ部
１５  切替回路部
１７  第１ＨＤＭＩ入力端子
１８  第１ＨＤＭＩ入力端子
２１  アンプ制御部
２１ａ  メモリ
２２  切替回路部
２３  第１ＨＤＭＩ入力端子
２４  第２ＨＤＭＩ入力端子
２５  第３ＨＤＭＩ入力端子
２６  ＨＤＭＩ出力端子
【図１】
2008244980.tif 000006
【図２】
2008244980.tif 000007
【図３】
2008244980.tif 000008
【図４】
2008244980.tif 000009
【図５】
2008244980.tif 000010
【図６】
2008244980.tif 000011
【図７】
2008244980.tif 000012
【図８】
2008244980.tif 000013
【図９】
2008244980.tif 000014
【図１０】
2008244980.tif 000015
【図１１】
2008244980.tif 000016
【図１２】
2008244980.tif 000017
【図１３】
2008244980.tif 000018